(57)【要約】  少なくとも一つの渡し胴（１）、圧胴（２）、版胴（３，１９）、コレクタ胴（４，２３）、およびデリバリ胴（６）を含み、前記圧胴、版胴、およびコレクタ胴の各々は、それぞれ少なくとも一つの枚葉紙（７）、少なくとも一つの版（１５，１６，２７，２８，２９）、および少なくとも一つのブランケット（１９，２０，３４，３５，３６）を保持するためのグリッパ手段（９，１０）、クランプ手段および保持手段を備えた穴（１１，１２，１７，１８，２４，２５，２６，３１，３２，３３）を含む彫刻凹版印刷機。各胴の穴の数、および各胴の相対的位置は、圧胴（４，２３）の穴が印刷機の運転中に同時に相互を通過するような数および位置である。
2008501547.tif 000002
【特許請求の範囲】
【請求項１】
有価証券および他の同様書類等継続的枚葉紙からなる書類を印刷する彫刻凹版印刷機であって、少なくとも一つの渡し胴（１）、圧胴（２）、版胴（３，１９）、コレクタ胴（４，２３）、およびデリバリ胴（６）を含み、前記圧胴、版胴、およびコレクタ胴の各々は、それぞれ少なくとも一つの枚葉紙（７）、少なくとも一つの版（１５，１６，２７，２８，２９）、および少なくとも一つのブランケット（１９，２０，３４，３５，３６）を保持するためのグリッパ手段（９，１０）、クランプ手段および保持手段を備えた穴（１１，１２，１７，１８，２４，２５，２６，３１，３２，３３）を含み、各胴の穴の数量、および各胴の相対的位置は、圧胴、版胴、およびコレクタ胴の穴が印刷機の運転中に同時に相互を通るような数および位置である、彫刻凹版印刷機。
【請求項２】
前記圧胴（２）は二つの圧胴穴（１１，１２）を有し、前記版胴（３）は二つの版胴穴（１７，１８）を有し、かつ前記コレクタ胴（４）は二つのコレクタ胴穴（２１，２２）を有する、請求項１に記載の彫刻凹版印刷機。
【請求項３】
前記圧胴（２）、前記版胴（３）、および前記コレクタ胴（４）の軸は一直線（Ｌ１）上に整列する、請求項１に記載の彫刻凹版印刷機。
【請求項４】
前記圧胴（２）は二つの圧胴穴（１１，１２）を有し、前記版胴（２３）は三つの版胴穴（２４，２５，２６）を有し、かつ前記コレクタ胴（４）は二つのコレクタ胴穴（２１，２２）を有する、請求項１に記載の彫刻凹版印刷機。
【請求項５】
前記圧胴（２）は二つの圧胴穴（１１，１２）を有し、前記版胴（２３）は三つの版胴穴（２４，２５，２６）を有し、かつ前記コレクタ胴（４）は三つのコレクタ胴穴（３１，３２，３３）を有する、請求項１に記載の彫刻凹版印刷機。
【請求項６】
前記圧胴（２）、前記版胴（３）、および前記コレクタ胴（４）の軸は二つの直線部分（Ｌ２，Ｌ３，Ｌ４，Ｌ５）上にあり、二つの前記直線部分はその間に所定角度を有する、請求項１、４、または５のいずれか１に記載の彫刻凹版印刷機。
【請求項７】
前記所定角度は１２０°である、請求項６に記載の彫刻凹版印刷機。
【発明の詳細な説明】
【技術分野】
【０００１】
本発明は、書類、有価証券、銀行券、小切手および他の同様書類を印刷するための彫刻凹版印刷機に関する。
【背景技術】
【０００２】
かかる印刷機は印刷業界でそれ自体既知である。例えば、ヨーロッパ特許出願番号ＥＰ０９８２１２５および０９８２１３１はかかる印刷機を開示する。同様の印刷機を開示するＵＳ４５１６４９６を含む他の先行技術に関する刊行物の内容が本願の技術説明を補充するために参考として組み込まれる。
【０００３】
ＵＳＰ５０６２３５９は有価証券等の流通紙を印刷するための彫刻凹版印刷機に関する。この特許は、開示された印刷技術に関して本願に参考として組み込まれる。この機械は、少なくとも圧胴、圧胴と共働する版胴、および版胴および拭き取りシステムと接触するインキコレクタ胴を含む。版胴は、均一に分配されたた幾つかの彫刻印刷版を装備する。インキコレクタ胴は弾性面を有しかつ幾つかのブランケットを装備する。インキコレクタ胴の周辺に沿ってかつインキコレクタ胴に接触して選択的カラーインキ着け胴が取り付けられ、その各々がそれぞれインキ着け装置によりインキ着けされる。この印刷機において、全胴は三つの胴穴（pits)を有し、胴穴にはグリッパシステムが印刷される枚葉紙、版およびゴムブラケットを保持するために取り付けられる。
【０００４】
他の既知印刷機がＵＳ５８９９１４５に開示され、印刷技術に関し、その内容は本願に参考として組み込まれる。既知印刷機は版胴、圧胴、拭き取り装置、およびインキコレクタ胴およびカラー選択胴を含むインキ着けシステムを含む。開示形態において、版胴は三つの胴穴を有しかつ圧胴は三つの胴穴を有する。
【０００５】
他の印刷機は日本特許公開６００１５１５８から既知である。この要約書によれば、図面は、同一円弧の複数の有効面と同一円弧の複数の非有効面を彫刻凹版胴および圧胴に交互に設けた彫刻凹版印刷機を示す。
【０００６】
既知印刷機の問題は、圧胴と版胴間の高圧により、各胴の胴穴が相互に遭遇するときに、両胴に振動が生じ、これがインキ着け胴によるインキ着けの精度に影響を与えることである。当然ながら、圧胴のいずれの振動も版胴とインキ着け胴のレジスタを僅かに変化させる。版胴の版における彫刻の寸法が小さいことから、インキ着けは、事実上精確でなく、かつ印刷工程において印刷された枚葉紙上に実行される。この印刷加工の質は、このようにして低下しかつミスプリントの枚葉紙が増産される。
【発明の開示】
【発明が解決しようとする課題】
【０００７】
従って、本発明の課題は、既知印刷機を改善することにある。
【０００８】
更に具体的には、本発明の課題は質の改善された印刷を可能にする印刷機を提供することにある。
【０００９】
更に本発明の課題は、版の精確なインキ着けを実行できる印刷機を提供することにある。
【課題を解決するための手段】
【００１０】
上記課題を解決するために、本発明は特許請求の範囲に記載の定義に従う。
【００１１】
本発明による印刷機の着想は、複数の胴の全穴が相互に同位相になる胴形態を提供することであり、これは圧胴、版胴およびコレクタ胴の穴が印刷機の運転中に同時に相互を通ってコレクタ胴によるインキ着け時に版胴の振動を解消するようにてする。
【００１２】
この効果は穴の数、各胴の直径、および相互に対する胴の相対的位置を含む幾つかのバラメタを使用することにより達成される。
【００１３】
本発明は異なる三つの実施形態および添付図面に関する次の詳細な説明からより良く理解されるであろう。
【発明を実施するための最良の形態】
【００１４】
本発明は三つの異なる実施形態に関する詳細な説明および添付図面を参照することにより良く理解されるであろう。
【００１５】
図１の第一形態において、印刷機は印刷すべき枚葉紙７を印刷機に供給するためのグリッパ８を有する渡し胴１、印圧工程中に圧胴穴１１，１２内に設けられたグリッパ９，１０により枚葉紙７を保持する圧胴２、および印刷された枚葉紙７を取り出すためのグリッパ１３を有するデリバリチエーン胴６を含む。
【００１６】
圧胴２は版胴３と共働し、版胴３は圧胴２との間に印刷ニップ１４を形成し、枚葉紙７は印刷運転時に印刷ニップ１４を通過する。
【００１７】
版胴３は、参照番号１５および１６により概略的に示された印刷版を、把持装置等の保持手段または印刷機の分野で既知の同様手段により支持し、印刷版１５，１６は版胴穴１７および１８内に設置される。
【００１８】
版胴３の印刷版１５，１６は、この実施例において、コレクタ胴４によりインキを着けられ、コレクタ胴４はゴムブラケット１９，２０を支持し、ゴムブラケット１９，２０上には種々の色のインキが、印刷分野で既知のごとく、版１５，１６にインキを着けるために置かれている。コレクタ胴４は、更にコレクタ胴穴２１，２２を含み、胴穴２１，２２には、例えばＵＳ４５８４９４２から既知のように、ブラケット保持引っ張り装置が、ゴムブラケット１９，２０をコレクタ胴上に保持するために設けられている。ＵＳ４５８４９４２は本願に組み込まれる。
【００１９】
コレクタ胴４のブラケット１９，２０は、ブラケット１９，２０上に各色のインキを着けるために使用される幾つかの選択的インキ着け胴５によりインキが着けられる。
【００２０】
図１に示された形態において、圧胴２、版胴３、およびコレクタ胴４は同一直径を有し、それぞれの胴穴の数は同一であり、かつそれらの軸は同一直線上に整列する。従って、これらの胴の位置の適切調整により、各胴穴を相互に同一位相にすることが可能であり、それにより胴穴１１，１８がそれぞれ相互に交差するときにコレクタ胴４によりインキ着け工程時の版胴３内での振動の発生を回避する。図１に示されたように、胴２，３，４の回転に対する胴穴１２，１７，１８，２１の初期は、胴２，３，４のそれぞれの軸３７，３８，３９と同様に線部分Ｌ１上に整列する。従って、振動が版胴３に生じる場合に、インキ着け工程は開始することなく、版１５，１６のインキ着け工程が開始する前に振動が減衰するまで（例えば適宜ダンピング手段により）所定時間を待つ。
【００２１】
図１において、拭き取りユニットＷは、印刷技術で慣用のごとく、版１５および１６上で版１５，１６の彫刻の外側のインキを拭き取る状態を示す。この拭き取りユニットは、典型例として、軸４１を有する拭き取りローラ４０を有する。
【００２２】
図２において、本発明による印刷機の第二形態が示されている。この形態において、印刷機の枚葉紙７の配送および取り出しに関する部分は、印刷される枚葉紙７を印刷機に供給するためのグリッパ８を有する渡し胴１、印圧工程時に圧胴穴１１，１２内に設置されたグリッパ９，１０により枚葉紙７を保持する圧胴２、および印刷された枚葉紙７を取り出すためのグリッパ１３を有するデリバリチエーン胴６を含む第一形態と同様である。
【００２３】
圧胴は版胴２３と共働し、版胴２３は圧胴との間に印刷ニップ１４を形成する。
【００２４】
版胴２３は、この形態において、三つの版胴穴２４，２５，２６を含み、三つの版胴穴内には、当分野で既知のように、把持手段が版胴２３上の版２７，２８，２９を維持するために設けられる。
【００２５】
版胴２３の版２７，２８，２９にインキを着けるために、第一形態と同様に、コレクタ胴４を採用し、コレクタ胴４はゴムブラケット１９，２０を支持し、ゴムブラケット１９，２０上には、印刷分野で既知のごとく、版２７，２８，２９をインキ着けするために種々の色のインキが置かれる。コレクタ胴４はコレクタ胴穴２１，２２を含み、例えばＵＳ４５８４９４２から既知のように、胴穴内にはブラケット保持引っ張り装置がゴムブラケット１９，２０をコレクタ胴４上に保持するために設置されている。ＵＳ４５８４９４２は参考として本明細書に組み込まれる。
【００２６】
印刷分野で既知のごとく、コレクタ胴４は幾つかの選択的インキ着け胴５によりインキ着けされ、インキ着け胴５はブラケット１９，２０上に各色のインキを置くために使用される。
【００２７】
図示形態において、圧胴２およびコレクタ胴４は同一直径を有し、かつ二つの胴穴１１，１２，２１，２２を有し、版胴２３は三つの胴穴２４，２５，２６を有する。圧胴２およびコレクタ胴４の直径は版胴２３の直径の２／３に等しい。各胴の相対的位置は、図２に示されたように、本発明の原理に従って、全胴穴を同一位相に置くことができるように調整される。各胴２，２３，４の軸３７，３８，３９を結ぶ二つの線部分Ｌ２，Ｌ３間の角度は図２から理解できるように約１２０°である。
【００２８】
図２において、拭き取りユニットＷは、印刷技術で慣用のごとく、版２７，２８，２９上でそれらの版の彫刻の外側のインキを拭き取るために示されている。拭き取りユニットは、拭き取りローラ４０が図２に示されたように胴穴２４，２５，２６と同一位相になるように設置され、そのようにして版（図２の版２８）の拭き取り作業は、版２７により実行される印刷時に、および版２９のインキ着け時に行われる、即ち印刷およびインキ着け作業が版により実行されるときに拭き取りローラ４０が穴を通過しないようにされ、それにより振動の発生を阻止する。
【００２９】
図示されたように、版胴２３の軸３８と拭き取りローラ４０の軸４１を結ぶ二つの線部分Ｌ４と線部分Ｌ２，Ｌ３と間の角度は約１２０°である。
【００３０】
図３において、本発明による印刷機の第三形態が示されている。この形態において、印刷機は、印刷すべき枚葉紙７を印刷機に供給するためのグリッパ８を有する渡し胴１、印圧工程中に圧胴穴１１，１２内に設けられたグリッパ９，１０により枚葉紙７を保持する圧胴２、および印刷された枚葉紙７を取り出すためのグリッパ１３を有するデリバリチエーン胴６を含む。
【００３１】
圧胴２は版胴２３と共働し、版胴２３は圧胴２との間に印刷ニップ１４を形成し、枚葉紙７は印刷運転時に印刷ニップ１４を通過する。
【００３２】
この形態における版胴は、第二形態の版胴と同一であり、三つの版２７，２８，２９を保持するために三つの穴２４，２５，２６を有する。
【００３３】
この形態におけるコレクタ胴３０は、ゴムブラケット３４，３５，３６を保持するために三つの穴３１，３２，３３を有し、ゴムブラケット３４，３５，３６は幾つかの選択的インキ着け胴５によりインキが着けられ、インキ着け胴５は、印刷分野で既知のごとく、コレクタ胴３０のゴムブラケット３４，３５，３６上に各色のインキを置くために使用される。
【００３４】
この形態において、胴穴の数および各胴の相対的位置は、本発明の原理に従って、胴穴を相互に同一位相にして精確なインキ着けを可能にするように構成される。従って、図示された位置において、胴穴１２と２４、胴穴２６と３１は図３に示されたように一直線になる。各胴２，２３，３０の軸３７，３８，３９を結ぶ二つの線部分Ｌ５，Ｌ６間の角度は図３から理解できるように約１２０°であり、そのようにしてインキ着け運転中の版胴における振動の発生を回避する。
【００３５】
図３において、拭き取りユニットＷは、印刷技術で慣用のごとく、版２７，２８，２９上でそれらの版の彫刻の外側のインキを拭き取るために示されている。拭き取りユニットは、拭き取りローラ４０が図３に示されたように胴穴２４，２５，２６と同一位相になるように設置され、そのようにして版（図３の版２８）の拭き取り作業は、版２７により実行される印刷時に、および版２９のインキ着け時に行われる、即ち印刷およびインキ着け作業が版により実行されるときに拭き取りローラ４０が穴を通らないようにされ、それにより振動の発生を阻止する。
【００３６】
図示されたように、版胴２３の軸３８と拭き取りローラ４０の軸４１を結ぶ線部分Ｌ７と二つの線部分Ｌ５，Ｌ６との間の角度は約１２０°である。
【００３７】
上記説明から理解されるように、印刷胴、版胴、およびコレクタ胴のそれぞれの位置は、版胴に存在する穴の数に依存する。版胴が二つの穴（直径方向に形成された）を有する場合、圧胴およびコレクタ胴は同調性を確実にするために同一直線上に整列する。版胴が三つの穴（それぞれ１２０°で配置された）を有する場合、圧胴、コレクタ胴および版胴の軸を結ぶ線の部分間の角度は、圧胴およびコレクタ胴上に存在する穴の数と関係なく、１２０°になるであろう。版胴が四つの穴、即ち９０°ごとに、穴を有する場合に、同じことが言える。一般原則により、Ｎが版胴内の穴の数を示す場合、圧胴、コレクタ胴および版胴の軸を結ぶ線の部分間の角度は３６０°／Ｎとなる。
【００３８】
当然ながら、本発明は非制限例である図示形態に限定されない。他の形態が本発明の課題達成のために想定されるであろう。
【図面の簡単な説明】
【００３９】
【図１】本発明による印刷機の第一形態を示す。
【図２】本発明による印刷機の第二形態を示す。
【図３】本発明による印刷機の第三形態を示す。
【図１】
2008501547.tif 000003
【図２】
2008501547.tif 000004
【図３】
2008501547.tif 000005
【国際調査報告】
2008501547.tif 000006
2008501547.tif 000007
2008501547.tif 000008
2008501547.tif 000009